【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
動画記録モードと静止画記録モードとを有し、前記動画記録モードでの静止画記録が可能な撮像装置であって、
フォーカスレンズを含む撮影光学系により形成された被写体像を光電変換する撮像素子と、
該撮像素子からの出力信号に基づいて、合焦状態を表す焦点評価信号を生成する信号生成手段と、
動画記録を行う場合に前記焦点評価信号に基づいて合焦位置を探索するように前記フォーカスレンズを駆動し、静止画記録を行う場合に、前記フォーカスレンズを所定のスキャン範囲で駆動して前記焦点評価信号に基づく合焦位置を検出し、該検出された合焦位置に前記フォーカスレンズを駆動する制御手段とを有し、
前記制御手段は、前記静止画記録モードで静止画記録を行う場合は第１のスキャン範囲で前記フォーカスレンズを駆動し、前記動画記録モードで静止画記録を行う場合は、前記第１のスキャン範囲より狭い第２のスキャン範囲で前記フォーカスレンズを駆動することを特徴とする撮像装置。
【請求項２】
前記第２のスキャン範囲は、前記動画記録モードにおいて静止画記録のための焦点調節動作が指示されたときの前記フォーカスレンズの動画記録に対する合焦許容移動量に基づいて設定されていることを特徴とする請求項１に記載の撮像装置。
【請求項３】
前記第２のスキャン範囲は、前記動画記録モードにおいて静止画記録のための焦点調節動作が指示されたときの前記フォーカスレンズの位置を略中心とした範囲であることを特徴とする請求項１又は２に記載の撮像装置。
【請求項４】
前記第１のスキャン範囲は、前記フォーカスレンズが撮影の際に移動可能な範囲の全域であることを特徴とする請求項１から３のいずれか１つに記載の撮像装置。
【請求項５】
前記制御手段は、前記動画記録モードにおいて静止画記録のための焦点調節動作が指示されたときの合焦度が所定値よりも低い場合は、前記２のスキャン範囲での合焦位置検出のための前記フォーカスレンズの駆動を禁止することを特徴とする請求項１から４のいずれか１つに記載の撮像装置。
【請求項６】
前記制御手段は、前記合焦度が前記所定値より低い場合において、撮像状態の変化を検出した場合は、前記第１のスキャン範囲で前記フォーカスレンズを駆動することを特徴とする請求項５に記載の撮像装置。
【請求項７】
静止画記録のための焦点調節動作を指示する操作手段を有し、
前記動画記録モードにおいて前記操作手段が操作された状態が所定時間継続した場合は、前記第１のスキャン範囲で前記フォーカスレンズを駆動することを特徴とする請求項１から６のいずれか１つ記載の撮像装置。
【請求項８】
動画記録中において静止画記録が可能な撮像装置であって、
フォーカスレンズを含む撮影光学系により形成された被写体像を光電変換する撮像素子と、
該撮像素子からの出力信号に基づいて、合焦状態を表す焦点評価信号を生成する信号生成手段と、
動画記録を行う場合に前記焦点評価信号に基づいて合焦位置を探索するように前記フォーカスレンズを駆動し、静止画記録を行う場合に、前記フォーカスレンズを所定のスキャン範囲で駆動して前記焦点評価信号に基づく合焦位置を検出し、該検出された合焦位置に前記フォーカスレンズを駆動する制御手段とを有し、
動画記録中に静止画記録を行う場合は、該静止画記録のための焦点調節動作が指示されたときの前記焦点評価信号に基づいて前記フォーカスレンズのスキャン範囲が変更されることを特徴とする撮像装置。
【請求項９】
前記制御手段は、前記焦点評価信号に基づいて合焦度を判別し、当該合焦度が第１の合焦度であるときは第１のスキャン範囲で前記フォーカスレンズを駆動し、当該合焦度が前記第１の合焦度よりも高い第２の合焦度であるときは、前記第１のスキャン範囲よりも狭い第２のスキャン範囲で前記フォーカスレンズを駆動することを特徴とする請求項８に記載の撮像装置。
【請求項１０】
前記第１および第２のスキャン範囲は、前記静止画記録のための焦点調節動作が指示されたときの前記フォーカスレンズの動画記録に対する合焦許容移動量に基づいて設定されていることを特徴とする請求項９に記載の撮像装置。
【請求項１１】
前記制御手段は、前記合焦度が前記第１の合焦度よりも低い第３の合焦度であるときは、前記スキャン範囲での合焦位置検出のための前記フォーカスレンズの駆動を禁止することを特徴とする請求項８から１０のいずれか１つに記載の撮像装置。
【請求項１２】
前記制御手段は、前記合焦度が前記第３の合焦度である場合において、撮像状態の変化を検出した場合は、前記第１のスキャン範囲よりも広い第３のスキャン範囲で前記フォーカスレンズを駆動することを特徴とする請求項１１に記載の撮像装置。
【請求項１３】
静止画記録のための焦点調節動作を指示する操作手段とを有し、
前記操作手段が操作された状態が所定時間継続した場合は、前記第１のスキャン範囲よりも広い第４のスキャン範囲で前記フォーカスレンズを駆動することを特徴とする請求項８から１２のいずれか１つに記載の撮像装置。
【請求項１４】
動画記録中において静止画記録が可能な撮像装置であって、
フォーカスレンズを含む撮影光学系により形成された被写体像を光電変換する撮像素子と、
該撮像素子からの出力信号に基づいて、合焦状態を表す焦点評価信号を生成する信号生成手段と、
動画記録を行う場合に前記焦点評価信号に基づいて合焦位置を探索するように前記フォーカスレンズを駆動し、静止画記録を行う場合に、前記フォーカスレンズを所定のスキャン範囲で駆動して前記焦点評価信号に基づく合焦位置を検出し、該検出された合焦位置に前記フォーカスレンズを駆動する制御手段とを有し、
動画記録中に静止画記録を行う場合であって、該静止画記録のための焦点調節動作が指示された際の前記焦点評価信号に基づく合焦度が所定値より低い場合には、前記フォーカスレンズの合焦位置検出のための駆動が行われないことを特徴とする撮像装置。
【請求項１５】
動画記録モードと静止画記録モードとを有し、前記動画記録モードにおいて静止画記録が可能な撮像装置の焦点調節方法であって、
フォーカスレンズを含む撮影光学系により形成された被写体像を光電変換する撮像素子からの出力信号に基づいて、合焦状態を表す焦点評価信号を生成する第１のステップと、
動画記録を行う場合に前記焦点評価信号に基づいて合焦位置を探索するように前記フォーカスレンズを駆動する第２のステップと、
静止画記録を行う場合に、前記フォーカスレンズを所定のスキャン範囲で駆動して前記焦点評価信号に基づく合焦位置を検出し、該検出された合焦位置に前記フォーカスレンズを駆動する第３のステップとを有し、
前記第３のステップにおいて、前記静止画記録モードで静止画記録を行う場合は第１のスキャン範囲で前記フォーカスレンズを駆動し、前記動画記録モードで静止画記録を行う場合は、前記第１のスキャン範囲より狭い第２のスキャン範囲で前記フォーカスレンズを駆動することを特徴とする焦点調節方法。
【請求項１６】
動画記録中において静止画記録が可能な撮像装置の焦点調節方法であって、
フォーカスレンズを含む撮影光学系により形成された被写体像を光電変換する撮像素子からの出力信号に基づいて、合焦状態を表す焦点評価信号を生成する第１のステップと、
動画記録を行う場合に前記焦点評価信号に基づいて合焦位置を探索するように前記フォーカスレンズを駆動する第２のステップと、
静止画記録を行う場合に、前記フォーカスレンズを所定のスキャン範囲で駆動して前記焦点評価信号に基づく合焦位置を検出し、該検出された合焦位置に前記フォーカスレンズを駆動する第３のステップとを有し、
前記第３のステップにおいて、動画記録中に静止画記録を行う場合は、該静止画記録のための焦点調節動作が指示されたときの前記焦点評価信号に基づいて前記スキャン範囲を変更することを特徴とする焦点調節方法。
【請求項１７】
動画記録中において静止画記録が可能な撮像装置の焦点調節方法であって、
フォーカスレンズを含む撮影光学系により形成された被写体像を光電変換する撮像素子からの出力信号に基づいて、合焦状態を表す焦点評価信号を生成する第１のステップと、
動画記録を行う場合に前記焦点評価信号に基づいて合焦位置を探索するように前記フォーカスレンズを駆動し、静止画記録を行う場合に、前記フォーカスレンズを所定のスキャン範囲で駆動して前記焦点評価信号に基づく合焦位置を検出し、該検出された合焦位置に前記フォーカスレンズを駆動する第２のステップとを有し、
前記第２のステップにおいて、動画記録中に静止画記録を行う場合であって、該静止画記録のための焦点調節動作が指示された際の前記焦点評価信号に基づく合焦度が所定値より低い場合には、前記フォーカスレンズの合焦位置検出のための駆動を行わないようにすることを特徴とする焦点調節方法。
【手続補正２】
【補正対象書類名】明細書
【補正対象項目名】０００９
【補正方法】変更
【補正の内容】
【０００９】
さらに、本発明の他の側面としての撮像装置は、動画記録中において静止画記録が可能な撮像装置であって、フォーカスレンズを含む撮影光学系により形成された被写体像を光電変換する撮像素子と、該撮像素子からの出力信号に基づいて、合焦状態を表す焦点評価信号を生成する信号生成手段と、動画記録を行う場合に焦点評価信号に基づいて合焦位置を探索するようにフォーカスレンズを駆動し、静止画記録を行う場合に、フォーカスレンズを所定のスキャン範囲で駆動して焦点評価信号に基づく合焦位置を検出し、該検出された合焦位置にフォーカスレンズを駆動する制御手段とを有する。そして、動画記録中に静止画記録を行う場合であって、該静止画記録のための焦点調節動作が指示された際の焦点評価信号に基づく合焦度が所定値より低い場合には、フォーカスレンズの合焦位置検出のための駆動が行われないことを特徴とする。
【手続補正３】
【補正対象書類名】明細書
【補正対象項目名】００１１
【補正方法】変更
【補正の内容】
【００１１】
さらに、本発明の他の側面としての撮像装置の焦点調節方法は、動画記録中において静止画記録が可能な撮像装置の焦点調節方法であって、フォーカスレンズを含む撮影光学系により形成された被写体像を光電変換する撮像素子からの出力信号に基づいて、合焦状態を表す焦点評価信号を生成する第１のステップと、動画記録を行う場合に焦点評価信号に基づいて合焦位置を探索するようにフォーカスレンズを駆動する第２のステップと、静止画記録を行う場合に、フォーカスレンズを所定のスキャン範囲で駆動して焦点評価信号に基づく合焦位置を検出し、該検出された合焦位置にフォーカスレンズを駆動する第３のステップとを有する。そして、第３のステップにおいて、動画記録中に静止画記録を行う場合は、該静止画記録のための焦点調節動作が指示されたときの焦点評価信号に基づいてスキャン範囲を変更することを特徴とする。
また、本発明の他の側面としての撮像装置の焦点調節方法は、動画記録中において静止画記録が可能な撮像装置の焦点調節方法であって、フォーカスレンズを含む撮影光学系により形成された被写体像を光電変換する撮像素子からの出力信号に基づいて、合焦状態を表す焦点評価信号を生成する第１のステップと、動画記録を行う場合に前記焦点評価信号に基づいて合焦位置を探索するように前記フォーカスレンズを駆動し、静止画記録を行う場合に、フォーカスレンズを所定のスキャン範囲で駆動して焦点評価信号に基づく合焦位置を検出し、該検出された合焦位置に前記フォーカスレンズを駆動する第２のステップとを有する。そして、第２のステップにおいて、動画記録中に静止画記録を行う場合であって、該静止画記録のための焦点調節動作が指示された際の焦点評価信号に基づく合焦度が所定値より低い場合には、フォーカスレンズの合焦位置検出のための駆動を行わないようにすることを特徴とする。
【手続補正４】
【補正対象書類名】明細書
【補正対象項目名】００１６
【補正方法】変更
【補正の内容】
【００１６】
２４は各種スイッチ類を含む操作スイッチである。該操作スイッチ２４には、撮像装置１を起動させて電源供給を開始させるための主電源スイッチや、静止画記録に関連した動作（例えば、ＡＦ処理や画像記録動作）を開始させるためのレリーズスイッチ２４ａや、動画記録を開始させるための動画撮影スイッチ２４ｂが含まれる。さらに、操作スイッチ２４には、動画撮影モード（動画記録モード）と静止画撮影モード（静止画記録モード）を撮影者が選択するための撮影モード選択スイッチ２４ｃや、記録された画像の再生動作を開始させる再生スイッチや、撮影光学系のズームレンズユニット２を駆動させてズームを行わせるズームスイッチ等も含まれる。
【手続補正５】
【補正対象書類名】明細書
【補正対象項目名】００１７
【補正方法】変更
【補正の内容】
【００１７】
レリーズスイッチ２４ａ、静止画記録動作に先立ってＡＥ処理やＡＦ処理を開始させる指示信号を発生する第１ストロークスイッチ（以下、ＳＷ１という）と、静止画記録動作を開始させる指示信号を発生する第２ストロークスイッチ（以下、ＳＷ２という）とによる二段スイッチ構成を有する。
２５は各種処理を行うコンピュータプログラムや各種動作を行うために必要なデータ等が予め記憶されているメモリ（ＥＥＰＲＯＭ）である。該メモリ２５は、電気的にデータの書き換えが可能な読み出し専用メモリである。
２６は本撮像装置の電源である電池、２８は被写体を照明するフラッシュ発光部、２７はフラッシュ発光部２８の発光を制御するスイッチング回路である。
２９は各種警告表示などを行うＬＥＤなどの表示素子、３０は音声によるガイダンスや警告などを行うためのスピーカーである。
【手続補正６】
【補正対象書類名】明細書
【補正対象項目名】００３８
【補正方法】変更
【補正の内容】
【００３８】
一方、ステップ２において静止画撮影モードであると判別された場合は、ステップ６に進む。該ステップ６では、ＣＰＵ１５は、レリーズスイッチ２４ａの状態を確認する。撮影者によってレリーズスイッチ２４ａが操作され、第１ストロークスイッチＳＷ１がオン状態になったことをＣＰＵ１５が確認すると、次のステップ７に進み、静止画記録用のＡＥ処理を実行する。さらに、ステップ８では、ＣＰＵ１５は、静止画撮影モードにおけるスキャンＡＦ処理を行う。
【手続補正７】
【補正対象書類名】明細書
【補正対象項目名】００３９
【補正方法】変更
【補正の内容】
【００３９】
なお、上述したステップ５にて実行される動画撮影モードにおけるスキャンＡＦ処理と、本ステップ８にて実行される静止画撮影モードにおけるスキャンＡＦ処理とは、その原理は同じであるが、フォーカスレンズユニット３を駆動するスキャン範囲が異なる。具体的には、動画撮影モードにおけるスキャンＡＦ処理では、静止画撮影モードにおけるスキャンＡＦ処理でのスキャン範囲（第１のスキャン範囲）よりも狭いスキャン範囲（第２のスキャン範囲）でフォーカスレンズユニット３を駆動する。しかも、動画撮影モードにおけるスキャンＡＦ処理では、第１ストロークスイッチＳＷ１がオン操作された時点での合焦度に応じて、スキャン範囲を変更する処理も行われる。これらについては後に詳細に説明する。
【手続補正８】
【補正対象書類名】明細書
【補正対象項目名】００５７
【補正方法】変更
【補正の内容】
【００５７】
ステップ５０２では、ステップ５０１で求められた合焦度が高いか低いかその中間のものかを判定する。具体的には、ステップ５０１で求められた合焦度を、高いと判定するための第１の閾値（第１の所定値）および低いと判定するための第２の閾値（第２の所定値）と比較し、合焦度が第１の閾値より高い場合、第２の閾値より低い場合および第１の閾値より低く第２の閾値より高い場合にそれぞれ、「高い（第２の合焦度）」、「低い（第３の合焦度）」、「中間（第１の合焦度）」を判定する。
【手続補正９】
【補正対象書類名】明細書
【補正対象項目名】００６３
【補正方法】変更
【補正の内容】
【００６３】
また、ステップ５０２において合焦度が「高い」と判定されてステップ５１０へ進んだ場合は、動画記録に用いられている撮像素子５上の画素数に対しては十分とみなせる合焦状態である。そしてこの場合は、現在のフォーカスレンズユニット３の位置の近傍に、動画記録時の画素数よりも多い静止画記録のための画素数に対しても合焦とみなせるフォーカスレンズユニット３の位置がある。したがって、現在のフォーカスレンズユニット３の位置を含む極めて狭いスキャン範囲でフォーカスレンズユニット３のスキャン駆動を行えばよい。このため、ステップ５１０では、「微小な」スキャン範囲（第２のスキャン範囲）でスキャン駆動を行う。
【手続補正１０】
【補正対象書類名】明細書
【補正対象項目名】００６５
【補正方法】変更
【補正の内容】
【００６５】
被写体がローコントラストではなく、合焦が可能と判定した場合、すなわちスキャンＡＦ処理の結果の信頼性が十分と判定された場合は、ステップ５１２に進み、合焦位置へのフォーカスレンズユニット３の駆動（合焦動作）を行う。ローコントラストで合焦が不可能と判定した場合、すなわちスキャンＡＦ処理の結果の信頼性が不十分と判定された場合は、ステップ５１３へ進み、非合焦であることを記録した後、図２のステップ９に進んで非合焦表示を行う。
【手続補正１１】
【補正対象書類名】明細書
【補正対象項目名】００６８
【補正方法】変更
【補正の内容】
【００６８】
ここで、ステップ５１０で行われる「微小」スキャン範囲でのスキャンＡＦ動作を図６を用いて説明する。図２のステップ４で第１ストロークスイッチＳＷ１がオン状態になったことを確認すると、ＣＰＵ１５は、フォーカスレンズユニット３をスキャン開始位置Ａ１に移動させる。次に、位置Ａ１から所定の速度でスキャン終了位置Ｂ１までフォーカスレンズユニット３を駆動する。この間、所定のスキャン間隔でＡＦ評価値を取得する。位置Ａ１から位置Ｂ１までのスキャン範囲は、前述した静止画記録用のスキャンＡＦ処理におけるスキャン範囲（無限遠端から至近端までのフォーカスレンズユニット３の可動範囲の全域）に比べて大幅に狭い。
【手続補正１２】
【補正対象書類名】明細書
【補正対象項目名】００７０
【補正方法】変更
【補正の内容】
【００７０】
このようなステップ５１０でのスキャンＡＦ処理では、ＡＦ評価値の取得ポイント（フォーカスレンズユニット３の停止位置）数は５ポイント程度に設定する。また、このスキャン範囲である位置Ａ１−位置Ｂ１間の距離は、現在のフォーカスレンズ位置で動画記録を行う場合の焦点深度（つまりは、合焦許容範囲又は合焦許容移動量）の２倍程度に設定され、位置Ａ１，Ｂ１はともに、位置Ａ１への移動前のフォーカスレンズユニット３の位置から、上記焦点深度と同程度の距離の範囲内に設定する。すなわち、スキャン範囲は、位置Ａ１への移動前のフォーカスレンズユニット３の位置を略中心とした範囲に設定される。このような設定により、動画記録中に静止画記録用のスキャンＡＦ処理を行ってフォーカスレンズユニット３を移動させても、記録された動画内ではほとんどピント変化が認識されず、記録動画の画質を損なわない。
【手続補正１３】
【補正対象書類名】明細書
【補正対象項目名】００７３
【補正方法】変更
【補正の内容】
【００７３】
この場合は、現在のフォーカスレンズユニット３の位置からあまり遠くない位置（但し、合焦度が「高い」場合よりも離れた位置）に、静止画記録用の画素数に対して合焦とみなせるフォーカスレンズユニット３の位置がある。したがって、この場合は、合焦度が「高い」場合よりも広いが、静止画記録用のスキャンＡＦ処理におけるスキャン範囲（フォーカスレンズユニット３の可動範囲の全域）に比べて狭い範囲でスキャン駆動を行えばよい。このため、ステップ５２０では、「小」スキャン範囲（第１のスキャン範囲）でスキャン駆動を行う。
【手続補正１４】
【補正対象書類名】明細書
【補正対象項目名】００７４
【補正方法】変更
【補正の内容】
【００７４】
そしてステップ５２１においては、ステップ５２０のスキャン駆動によって得られたＡＦ評価値から前述したローコントラスト判定を行う。被写体がローコントラストではなく、合焦が可能である判定した場合は、ステップ５２２に進み、合焦位置にフォーカスレンズユニット３を駆動する（合焦動作）。また、ローコントラストで合焦が不可能と判定した場合は、ステップ５２３へ進み、非合焦であることを記録した後、図２のステップ９に進み、非合焦表示を行う。
【手続補正１５】
【補正対象書類名】明細書
【補正対象項目名】００７５
【補正方法】変更
【補正の内容】
【００７５】
この場合においても、前述した合焦度は高いが、ローコントラストと判定された場合と同様に、ステップ５２１のローコントラスト判定で非合焦と判定したときには、ＡＦ評価値を取得したフォーカスレンズユニット３の位置の中で最も合焦位置に近いとみなせる位置にフォーカスレンズユニット３を駆動する。
【手続補正１６】
【補正対象書類名】明細書
【補正対象項目名】００７６
【補正方法】変更
【補正の内容】
【００７６】
ここで、ステップ５２０で行われる「小」スキャン範囲でのスキャンＡＦ動作を図６を用いて説明する。図２のステップ４で第１ストロークスイッチＳＷ１がオン状態になったことを確認すると、ＣＰＵ１５は、フォーカスレンズユニット３をスキャン開始位置Ａ２に移動させる。次に、位置Ａ２から所定の速度でスキャン終了位置Ｂ２までフォーカスレンズユニット３を駆動する。この間、所定のスキャン間隔でＡＦ評価値を取得する。位置Ａ２から位置Ｂ２までのスキャン範囲は、前述した静止画記録用のスキャンＡＦ処理におけるスキャン範囲（無限遠端から至近端の全域）に比べて狭く、合焦度が「高い」場合のスキャンＡＦ処理におけるスキャン範囲（位置Ａ１−Ｂ１間）に比べて広い。
【手続補正１７】
【補正対象書類名】明細書
【補正対象項目名】００７８
【補正方法】変更
【補正の内容】
【００７８】
このようなステップ５２０でのスキャンＡＦ処理では、ＡＦ評価値の取得ポイント（フォーカスレンズユニット３の停止位置）数は５ポイント程度に設定する。また、このスキャン範囲である位置Ａ２−位置Ｂ２間の距離は、現在のフォーカスレンズ位置で動画記録を行う場合の焦点深度（つまりは、合焦許容範囲又は合焦許容移動量）の５倍程度に設定され、位置Ａ２，Ｂ２はともに、位置Ａ２への移動前のフォーカスレンズユニット３の位置から動画撮影時に許容される焦点深度の２．５倍程度の距離の範囲内に設定する。すなわち、スキャン範囲は、位置Ａ２への移動前のフォーカスレンズユニット３の位置を略中心とした範囲に設定される。このような設定では、動画記録中に静止画記録用のスキャンＡＦ処理を行ってフォーカスレンズユニット３を移動させると、記録された動画内ではピント変化が認識されるものの、その変化量は小さく、かつ変化する時間も短いため、動画の画質を大きく損うことはない。
【手続補正１８】
【補正対象書類名】明細書
【補正対象項目名】００８１
【補正方法】変更
【補正の内容】
【００８１】
図７において、ステップ５０２で合焦度が「低い」と判定した場合、ステップ７０１に進み、シーン変化判定を行う。その結果、シーン変化（撮像状態の変化）があったと認められた場合は、ステップ７０２を介してステップ７０３に進み、静止画記録用のスキャンＡＦ処理におけるスキャン範囲と同じ無限遠端から至近端の全域（第３のスキャン範囲）でのフォーカスレンズユニット３のスキャン駆動（全域スキャン）を行う。すなわち、無限遠端に相当する位置からそのときに設定されている撮影モードでの至近端に相当する位置までフォーカスレンズユニット３を移動させながら所定のスキャン間隔でＡＦ評価値を取得し、その結果から合焦位置を求める。
【手続補正１９】
【補正対象書類名】明細書
【補正対象項目名】００８６
【補正方法】変更
【補正の内容】
【００８６】
一方、ステップ７０１，７０２において、シーン変化が認めらない場合は、実施例１と同様に、スキャンＡＦ処理を行わない（禁止する）。そして、非合焦であることを記録し、図２のステップ９に進んで、非合焦表示を行う。
【手続補正２０】
【補正対象書類名】明細書
【補正対象項目名】００８８
【補正方法】変更
【補正の内容】
【００８８】
図８において、ステップ５０２で合焦度が「低い」と判定した場合、ステップ８０１へ進み、第２ストロークスイッチＳＷ２がオン状態か否かをチェックする。オフ状態であるときはステップ８０２で第１ストロークスイッチＳＷ１がオン状態か否かをチェックする。第１ストロークスイッチＳＷ１がオン状態であれば、ステップ８０３に進み、第１ストロークスイッチＳＷ１がオン状態になってから所定時間が経過した（オン状態が所定時間継続した）か否かをチェックする。所定時間が経過していれば、ステップ８０４に進み、全域スキャンを行う。
【手続補正２１】
【補正対象書類名】明細書
【補正対象項目名】００９０
【補正方法】変更
【補正の内容】
【００９０】
一方、第１ストロークスイッチＳＷ１が所定時間以上、オン状態に保持されなかった場合は、実施例１と同様に、スキャンＡＦ処理を行わない（禁止する）。そして、非合焦であることを記録し、図２のステップ９に進んで、非合焦表示を行う。
【手続補正２２】
【補正対象書類名】明細書
【補正対象項目名】００９５
【補正方法】変更
【補正の内容】
【００９５】
なお、上記各実施例では、ＡＦ評価値信号の取得の際にフォーカスレンズを停止させない場合について説明したが、フォーカスレンズを停止させてＡＦ評価値信号を取得するようにしてもよい。